(57)【要約】【課題】送信側から送信したエンコードデータを受信側で確実に復号化することが可能なデータ送信装置およびデータ受信装置を安価に実現する。【解決手段】データ送信装置側からエンコードデータ格納メモリ１のエンコードデータと一緒に、デコーダプログラム格納メモリ３の復号化することが可能なデコーダプログラムを、使用権情報付加手段６で使用権情報を付加した上で送信手段７から送信する。データ受信装置側で送信されてきたデコーダプログラムによってエンコードデータを復号化することにより、データ受信装置は受信したエンコードデータを確実に復号化できることになる。【選択図】図１
2006227979.tif 000002
【特許請求の範囲】
【請求項１】
エンコードデータおよび前記エンコードデータを復号化するためのデコーダプログラムから他機器に送信するための通信データを生成する通信データ生成手段と、
前記エンコードデータおよび前記デコーダプログラムから生成した前記通信データを他機器に送信する送信手段とを具備することを特徴とするデータ送信装置。
【請求項２】
前記通信データ生成手段が生成する通信データは、前記エンコードデータにエンコードデータであることを示すＩＤ情報を付加した第１の通信データと、前記デコーダプログラムにデコーダプログラムであることを示すＩＤ情報を付加した第２の通信データとを、別々に構成することを特徴とする請求項１に記載のデータ送信装置。
【請求項３】
前記通信データ生成手段が生成する通信データは、エンコードデータであることを示すＩＤ情報を付加した前記エンコードデータと、デコーダプログラムであることを示すＩＤ情報を付加した前記デコーダプログラムとを１つの第３の通信データとして構成することを特徴とする請求項１に記載のデータ送信装置。
【請求項４】
前記通信データ生成手段は、前記デコーダプログラムが前記エンコードデータを復号化することを許可する使用権情報を前記通信データに付加することを特徴とする請求項１から請求項３までのいずれかに記載のデータ送信装置。
【請求項５】
エンコードデータおよび前記エンコードデータを復号するためのデコーダプログラムから生成された通信データを受信する受信手段と、
前記受信した通信データから前記エンコードデータと前記デコーダプログラムとを取得する通信データ解析手段と、
前記取得したエンコードデータを前記取得したデコーダプログラムによって復号化するデコード手段とを具備することを特徴とするデータ受信装置。
【請求項６】
前記受信した通信データは、前記エンコードデータを含む前記第１の通信データと、前記デコーダプログラムを含む前記第２の通信データであり、前記通信データ解析手段は前記受信した通信データ中のＩＤ情報を解析することで、前記エンコードデータまたは前記デコーダプログラムであることを識別することを特徴とする請求項５に記載のデータ受信装置。
【請求項７】
前記受信した通信データは、前記エンコードデータおよび前記デコーダプログラムが１つになった前記第３の通信データであり、前記通信データ解析手段は前記受信した通信データ中のＩＤ情報を解析することで、前記エンコードデータと前記デコーダプログラムとを分離することを特徴とする請求項５に記載のデータ受信装置。
【請求項８】
前記デコード手段は、前記受信した通信データ中の使用権情報から前記デコーダプログラムが前記エンコードデータを復号化することを許可しているかを判別し、許可している場合に前記デコーダプログラムを使用して前記エンコードデータを復号化することを特徴とする請求項５から請求項７までのいずれかに記載のデータ受信装置。
【発明の詳細な説明】
【技術分野】
【０００１】
本発明は、動画、静止画、音声データ等を符号化したエンコードデータを他機器に送信するデータ送信装置、および、前記エンコードデータを受信して復号化するデータ受信装置に関する。
【背景技術】
【０００２】
近年、ビデオカメラ、デジタルカメラ、ボイスレコーダー等の撮影記録装置や録音装置（以下、総称して撮影装置と記す）では、動画データ、静止画データ、音声データ（以下、総称してＡＶデータと記す）を様々な圧縮・符号化（以下、総称して符号化と記す）方式により符号化し記録媒体に記録している。例えば動画では、モーションＪＰＥＧ、ＭＰＥＧ１、ＭＰＥＧ２、ＭＰＥＧ４等、静止画ではＪＰＥＧ等、音声ではＭＰ３、ＡＡＣ、ＡＣ３等の各種符号化方式を使用することが多い。
【０００３】
また、記録媒体としては、ＳＤメモリカード等のメモリカードやＤＶＤ等の光ディスク等を用いるが、記録容量に限りがあるため長時間記録する場合には複数の記録媒体を常時携帯しておく必要があった。比較的高価である記録媒体を複数保有することはユーザーにとって金銭的な負担が大きくなるという課題がある。
【０００４】
また、ユーザーの要望として、撮影したＡＶデータを遠距離にいる親戚や友人等に視聴させたいという事がある。この場合、記録媒体に記録したＡＶデータを別の記録媒体に複製して郵送したり、撮影者が視聴させたい相手の所まで撮影装置を持参して視聴させたり等、かなりの手間を必要としていた。
【０００５】
これらの課題を解決する従来技術として、撮影装置とは別に外部記録装置を用意し、撮影装置で撮影したデータを外部記録装置の記録媒体に記録するというものがある（特許文献１）。これは、撮影装置と外部記録装置との間にＡＶデータの送受信が可能な通信手段を具備し、データ送信装置である撮影装置は撮影を開始すると、撮影したＡＶデータを符号化（以下、符号化したＡＶデータをエンコードデータと記す）すると共に、通信手段による送信が可能か判断する。通信が可能な場合には、通信手段を介してエンコードデータをデータ受信装置である外部記録装置へ送信する。外部記録装置では、通信手段を介して受信したエンコードデータを記録媒体に記録する。また、撮影装置は、通信手段による送信が不可能であると判断した場合には、撮影装置に内蔵する記録デバイスにエンコードデータを保存するというものである。ここで、通信手段は有線、無線、公衆回線等のいずれで実現しても構わない。
【０００６】
この従来技術によると、撮影したエンコードデータは大容量で比較的安価な外部記録装置に記録されるため、撮影装置側では高価かつ小容量の記録媒体を予備として複数所持しておく必要がなくなる。また、外部記録装置を自宅に設置し、外出先で撮影装置から公衆回線等を経由してエンコードデータを記録するようにすると、記録媒体を携帯する煩わしさもなく、紛失の危険もなくなる。
【特許文献１】特開２００３−１６９２４０号公報
【発明の開示】
【発明が解決しようとする課題】
【０００７】
しかしながら従来技術においては、データ送信装置で符号化したエンコードデータを、データ受信装置内のデコーダによって伸長、復号化（以下、総称して復号化）する場合の互換性が問題となる。前述したように、符号化方式は、ＭＰＥＧ２やＭＰＥＧ４等の様々な方式がある上に、さらに各符号化方式は様々な規格に細分化されている。例えばＭＰＥＧ２はＨＰ＠ＨＬ、ＭＰ＠ＨＬ、ＭＰ＠ＭＬ等の１１種類もの規格が存在する。これらはプロファイル／レベルと呼ばれ、エンコードデータがどのプロファイル／レベルで符号化されたものかはシーケンス層のＰｒｏｆｉｌｅ  Ａｎｄ  Ｌｅｖｅｌ  Ｉｄｅｎｔｉｆｉｅｒと呼ばれる８ｂｉｔのデータで識別できる。他の符号化方式も同様に多種の規格が存在する。つまり、データ受信装置のデコーダがＭＰＥＧ２のＭＰ＠ＭＬしか対応していなかった場合、データ送信装置においてＭＰＥＧ２のＭＰ＠ＨＬで作成したエンコードデータは、データ受信装置では復号化できないという課題がある。これを解決するためには、データ送信装置とデータ受信装置で同じ符号化／復号化方式に対応した装置を揃える必要があるが、その場合、装置を新たに購入する際のユーザーの金銭的な負担は大きくなる。また、各方式毎に装置を揃えるのは、設置場所の問題、通信手段との接続数の制限等、様々な課題が発生する。また、撮影者が別の人にＡＶデータを送信する場合は、別の人が同じ方式のデータ受信装置を所有している必要があり、実質上、送信できる相手が著しく制限されることになる。
【０００８】
本発明は上記課題を解決し、送信側から送信したエンコードデータを受信側で確実に復号化することを安価に実現することを目的とする。
【課題を解決するための手段】
【０００９】
本発明は、上記の課題を解決するために次のような手段を講じる。
【００１０】
本発明の請求項１に記載のデータ送信装置は、エンコードデータおよびエンコードデータを復号化するためのデコーダプログラムから他機器に送信するための通信データを生成する通信データ生成手段と、エンコードデータおよびデコーダプログラムから生成した通信データを他機器に送信する送信手段とを具備することを特徴とするものである。
【００１１】
また、本発明の請求項２に記載のデータ送信装置は、請求項１に記載の発明において、通信データ生成手段が生成する通信データは、エンコードデータにエンコードデータであることを示すＩＤ情報を付加した第１の通信データと、デコーダプログラムにデコーダプログラムであることを示すＩＤ情報を付加した第２の通信データとを別々に構成することを特徴とするものである。
【００１２】
また、本発明の請求項３に記載のデータ送信装置は、請求項１に記載の発明において、通信データ生成手段が生成する通信データは、エンコードデータであることを示すＩＤ情報を付加したエンコードデータと、デコーダプログラムであることを示すＩＤ情報を付加したデコーダプログラムとを１つの第３の通信データとして構成することを特徴とするものである。
【００１３】
また、本発明の請求項４に記載のデータ送信装置は、請求項１から請求項３までのいずれかに記載の発明において、通信データ生成手段は、デコーダプログラムがエンコードデータを復号化することを許可する使用権情報を通信データに付加することを特徴とするものである。
【００１４】
また、本発明の請求項５に記載のデータ受信装置は、エンコードデータおよびエンコードデータを復号するためのデコーダプログラムから生成された通信データを受信する受信手段と、受信した通信データからエンコードデータとデコーダプログラムとを取得する通信データ解析手段と、取得したエンコードデータを取得したデコーダプログラムによって復号化するデコード手段とを具備することを特徴とするものである。
【００１５】
また、本発明の請求項６に記載のデータ受信装置は、請求項５に記載の発明において、受信した通信データは、エンコードデータを含む第１の通信データと、デコーダプログラムを含む第２の通信データであり、通信データ解析手段は受信した通信データ中のＩＤ情報を解析することで、エンコードデータまたはデコーダプログラムであることを識別することを特徴とするものである。
【００１６】
また、本発明の請求項７に記載のデータ受信装置は、請求項５に記載の発明において、受信した通信データは、エンコードデータおよびデコーダプログラムが１つになった第３の通信データであり、通信データ解析手段は受信した通信データ中のＩＤ情報を解析することで、エンコードデータとデコーダプログラムとを分離することを特徴とするものである。
【００１７】
また、本発明の請求項８に記載のデータ受信装置は、請求項５から請求項７までのいずれかに記載の発明において、デコード手段は、受信した通信データ中の使用権情報からデコーダプログラムがエンコードデータを復号化することを許可しているかを判別し、許可している場合にデコーダプログラムを使用してエンコードデータを復号化することを特徴とするものである。
【発明の効果】
【００１８】
以上のように本発明のデータ送信装置およびデータ受信装置によれば、データ送信装置の通信データ生成手段が、エンコードデータと、復号化が可能なデコーダプログラムとから通信データを生成し、送信することで、データ受信装置は受信したデコーダプログラムによってエンコードデータを確実に復号化できるという顕著な効果が得られる。また、特別な装置等を別途準備する必要もないので安価に復号化できることになる。
【００１９】
また、データ送信装置の通信データ生成手段は使用権情報を通信データに付加し、データ受信装置においては、使用権情報で許可されたデコーダプログラムとエンコードデータの組み合わせでのみ復号化するため、データ受信装置側でデコーダプログラムを乱用されることがなく、デコーダプログラムの使用権や著作権が守られるという顕著な効果が得られる。
【発明を実施するための最良の形態】
【００２０】
以下、本発明の実施の形態にかかるデータ通信装置およびデータ受信装置を図面に基づいて詳細に説明する。
【００２１】
（実施の形態）
図１は本発明の実施の形態によるデータ送信装置の構成を示したブロック図である。図１において、１はＡＶデータを符号化したエンコードデータを格納するエンコードデータ格納メモリ、２は通信データの作成時にエンコードデータにＩＤ情報を付加するＩＤ情報付加手段、３はデコーダプログラムを格納するデコーダプログラム格納メモリ、４は通信データの作成時にデコーダプログラムにＩＤ情報を付加するＩＤ情報付加手段、５はエンコードデータ格納メモリ１に格納されているエンコードデータとデコーダプログラム格納メモリ３に格納されているデコーダプログラムを管理し、ユーザーからの指示に基づいて通信データの作成を管理する管理手段、６は同時に入力されるエンコードデータとデコーダプログラムから通信データを生成すると共に通信データに使用権情報を付加する使用権情報付加手段、７は入力した通信データをネットワークに送信する送信手段である。
【００２２】
ここで、請求の範囲における通信データ生成手段とは、エンコードデータ格納メモリ１、ＩＤ情報付加手段２、デコーダプログラム格納メモリ３、ＩＤ情報付加手段４、管理手段５および使用権情報付加手段６に相当する。
【００２３】
また、エンコードデータ格納メモリ１のエンコードデータは本装置に内蔵した撮影装置（図示せず）により撮影されたＡＶデータを符号化し格納されている。また、撮影装置には、撮影したエンコードデータを再生するためのデコード機能が内蔵されているのが通常であり、本装置ではデコーダプログラム格納メモリ３に格納しているデコーダプログラムで実現している。このデコーダプログラムをＣＰＵやＤＳＰ等のデコード実行手段（図示せず）にて実行することによりエンコードデータを復号化し、表示手段（図示せず）にて表示することになる。
【００２４】
以上のように構成されたデータ送信装置について、以下にその動作を述べる。
【００２５】
本装置は、ユーザーからの操作（操作手段は図示せず）によってエンコードデータの送信が指示されると、管理手段５はエンコードデータ格納メモリ１に格納しているエンコードデータの符号化方式を識別する。例えば、指示されたエンコードデータがＭＰＥＧ２方式で符号化されている場合、エンコードデータ中のシーケンス層を解析すれば、符号化方式を識別することができる。続いて、管理手段５はＩＤ情報付加手段２に送信すべきエンコードデータを、ＩＤ情報付加手段４に送信すべきデコーダプログラムを指示する。ここで、ＩＤ情報付加手段４に指示したデコーダプログラムは、ＩＤ情報付加手段２に指示したエンコードデータを復号することができるものである。
【００２６】
ＩＤ情報付加手段２は指示されたエンコードデータをエンコードデータ格納メモリ１から入力し、ＩＤ情報をエンコードデータに付加する。例えば、ＩＤ情報はエンコードデータであることを示すユニークなコードと、エンコードデータに関する固有の情報としてエンコードデータ名、記録日時、データサイズ等が含まれている。ここで、エンコードデータ名は複数あるエンコードデータを識別するための固有の名称である。一例として、メーカーコード、装置コード、エンコードデータ番号等を組み合わせた名称にすることで実現できるが、他のエンコードデータとは異なる名称であれば、どんな名称の付け方でも構わない。
【００２７】
ＩＤ情報付加手段４は指示されたデコーダプログラムをデコーダプログラム格納メモリ３から入力し、ＩＤ情報をデコーダプログラムに付加する。例えば、ＩＤ情報はデコーダプログラムであることを示すユニークなコードと、デコーダプログラムに関する固有の情報としてデコーダプログラム名、バージョン情報、データサイズ等が含まれている。
【００２８】
使用権情報付加手段６はＩＤ情報付加手段２からＩＤ情報を付加したエンコードデータと、ＩＤ情報付加手段４からＩＤ情報を付加したデコーダプログラムを入力し、デコーダプログラムによってエンコードデータを復号化することを許可する使用権情報を付加し、通信データを生成する。ここで、通信データはエンコードデータとデコーダプログラムとを別々の通信データとして生成する第１のデータ形態と、１つの連続した通信データとして生成する第２のデータ形態の大きく２通り考えられるが、いずれを採用しても実現可能である。以下、２通りのデータ形態について図面を用いて説明する。
【００２９】
図２は通信データの第１のデータ形態を示す概念図であり、同図（ａ）がエンコードデータの通信データ（請求の範囲における第１の通信データに相当）、同図（ｂ）がデコーダプログラムの通信データ（請求の範囲における第２の通信データに相当）を示す。図２の（ａ）において、２０１はエンコードデータのＩＤ情報を格納する領域、２０２はエンコードデータを格納する領域である。また図２の（ｂ）において２１１はデコーダプログラムのＩＤ情報を格納する領域、２１２はデコーダプログラムを格納する領域、２１３は使用権情報を格納する領域である。
【００３０】
また、図３は通信データの第２のデータ形態を示す概念図であり、エンコードデータとデコーダプログラムを１つの通信データ（請求の範囲における第３の通信データに相当）として送信する場合に用いられ、３０１はエンコードデータのＩＤ情報を格納する領域、３０２はエンコードデータを格納する領域、３１１はデコーダプログラムのＩＤ情報を格納する領域、３１２はデコーダプログラムを格納する領域、３１３は使用権情報を格納する領域である。
【００３１】
ここで、図２および図３の使用権情報２１３および３１３には、このデコードプログラムによる復号化を許可しているエンコードデータ名が格納されている。エンコードデータ名以外にもエンコードデータのＩＤ情報に記録される記録日時、データサイズ等を格納すれば、エンコードデータの特定に関する誤動作が少なくなるといった効果が得られる。また、図２、図３の通信データの配列は別の配列を採用しても問題はなく、要はデコーダプログラム、エンコードデータと、それぞれのＩＤ情報と、使用権情報を含んでいればよい。
【００３２】
送信手段７は使用権情報付加手段６で生成した通信データを送信する。図２に示した第１のデータ形態の場合には、第１の通信データ（ａ）と第２の通信データ（ｂ）のそれぞれを送信することになり、また図３に示した第２のデータ形態の場合には、第３の通信データを送信することになる。ここで、送信手段７は一般的に普及しているいずれの通信手段でも実現でき、有線通信、無線通信、インターネット通信、公衆回線を利用した通信等、それぞれの通信形態に合わせた方式で送信すればよい。また、モデムやルーター等の外部の通信装置経由でインターネットや公衆回線に接続するように構成しても良い。この場合送信手段７は外部の通信装置とのＩＦ回路で構成される。
【００３３】
また、図４は本発明のデータ受信装置の一実施例を示したブロック図である。図４において、４０１はネットワーク等を介して通信データを受信する受信手段、４０２は通信データを解析し、エンコードデータとデコーダプログラムを取得する通信データ解析手段、４０３は取得したエンコードデータを格納するエンコードデータ格納メモリ、４０４は取得したデコーダプログラムを格納するデコーダプログラム格納メモリ、４０５はユーザーからの指示に基づいて、エンコードデータとデコーダプログラムを入力すると共にデコーダプログラム中の使用権情報を参照し、デコーダプログラムによるエンコードデータの復号化を許可されているか判断する使用権情報判別手段、４０６はデコーダプログラムとエンコードデータを入力し、デコーダプログラムによってエンコードデータを復号化するデコード実行手段、４０７はエンコードデータを復号化したＡＶデータを表示する表示手段である。
【００３４】
ここで、請求の範囲におけるデコード手段とは、エンコードデータ格納メモリ４０３、デコーダプログラム格納メモリ４０４、使用権情報判別手段４０５およびデコード実行手段４０６に相当する。
【００３５】
また、デコード実行手段４０６はＣＰＵやＤＳＰ等で構成され、デコーダプログラムを実行することでデコード機能を実現している。
【００３６】
以上のように構成されたデータ受信装置について、以下にその動作を述べる。
【００３７】
本装置における受信手段４０１は、前述したデータ送信装置が送信した通信データをネットワーク経由で受信する。受信する通信データは図２または図３で示した通信データである。ここで、接続されるネットワークはデータ送信装置の場合と同様に、有線通信、無線通信、インターネット通信、公衆回線を利用した通信等の一般的に普及しているいずれの通信手段でも実現できる。また、モデムやルーター等の外部の通信装置経由でインターネットや公衆回線に接続するように構成しても良い。
【００３８】
通信データ解析手段４０２は、受信手段４０１で受信した通信データを入力し、通信データを解析して、エンコードデータとデコーダプログラムを取得する。受信した通信データが図２に示した第１の通信データ（ａ）と第２の通信データ（ｂ）の場合には、通信データ中のＩＤ情報を検索して、ＩＤ情報から第１の通信データか第２の通信データかを判断する。第１の通信データの場合には、通信データ解析手段４０２はエンコードデータ格納メモリ４０３にＩＤ情報２０１とエンコードデータ２０２を格納する。また、第２の通信データの場合には、通信データ解析手段４０２はデコーダプログラム格納メモリ４０４にＩＤ情報２１１とデコーダプログラム２１２と使用権情報２１３を格納する。また、受信した通信データが図３に示した第３の通信データの場合には、通信データ中の２つのＩＤ情報を検索することで、エンコードデータとデコーダプログラムを分離する。通信データ解析手段４０２は、第１および第２の通信データの場合と同様に、エンコードデータ格納メモリ４０３にＩＤ情報３０１とエンコードデータ３０２を、デコーダプログラム格納メモリ４０４にＩＤ情報３１１とデコーダプログラム３１２と使用権情報３１３を格納する。ここで、使用権情報２１３および３１３の先頭位置はＩＤ情報２１１および３１１内に記載されているデコーダプログラムのデータサイズから計算することができる。また、ＩＤ情報２１１および３１１内に使用権情報２１３および３１３の先頭位置を記載するようにしても構わない。
【００３９】
以上で、データ送信装置から送信されたエンコードデータとデコーダプログラムを、データ受信装置が受信完了したことになる。
【００４０】
次にデータ受信装置において、ユーザーからの指示（指示手段は図示せず）により、受信したエンコードデータを再生する場合の動作について説明する。
【００４１】
ユーザーからエンコードデータの再生指示を受けると、使用権情報判別手段４０５は指示されたエンコードデータのＩＤ情報２０１または３０１をエンコードデータ格納メモリ４０３から入力し、ＩＤ情報内にあるエンコードデータ名を取得する。続いて、デコーダプログラム格納メモリ４０４から少なくとも１つ以上存在するデコーダプログラムの使用権情報２１３または３１３を入力し、取得したエンコードデータ名が存在するか解析する。使用権情報判別手段４０５は取得したエンコードデータ名が存在する使用権情報２１３または３１３を見つけると、対応するデコーダプログラム２１２または３１２によってエンコードデータ２０２または３０２の復号化が許可されていると判断する。その後、判断で特定されたデコーダプログラム２１２または３１２とエンコードデータ２０２または３０２をメモリ４０４および４０３から入力し、デコード実行手段４０６へ供給する。
【００４２】
デコード実行手段４０６は供給されたデコーダプログラム２１２または３１２によってエンコードデータ２０２または３０２を復号化し、表示可能なＡＶデータを生成する。
【００４３】
表示手段４０７はデコード実行手段４０６から入力したＡＶデータの表示処理を行う。ここで、音声データについてはスピーカ部（図示せず）等で再生されることになる。
【００４４】
以上のように、本発明の実施の形態によるデータ送信装置およびデータ受信装置は、データ送信装置側からエンコードデータ２０２または３０２と一緒に、復号化することが可能なデコーダプログラム２１２または３１２を送信し、データ受信装置側で受信したデコーダプログラム２１２または３１２によってエンコードデータ２０２または３０２を復号化することにより、データ受信装置は受信したエンコードデータ２０２または３０２を確実に復号化できることになる。また、復号化のための特別な装置等を別途準備する必要がないので安価に復号化できることになる。
【００４５】
また、更にデータ送信装置側から使用権情報２１３または３１３を、エンコードデータ２０２または３０２、およびデコーダプログラム２１２または３１２と一緒に送信し、データ受信装置側で使用権情報２１３または３１３に従って、許可されているエンコードデータ２０２または３０２とデコーダプログラム２１２または３１２の組み合わせで復号化することにより、データ受信装置側でデコーダプログラム２１２または３１２を乱用されることがなく、デコーダプログラム２１２または３１２の使用権や著作権が守られることになる。
【００４６】
なお、以上の説明においては、データ受信装置にはあらかじめ使用権情報判別手段４０５を具備していることを前提に説明を行ったが、使用権情報判別手段４０５をプログラムとして実現し、このプログラムもデコーダプログラムと一緒にデータ送信装置から受信する構成にしてもよい。この場合、使用権情報判別のためのプログラムはデコーダプログラムと同様にＣＰＵやＤＳＰ上で実行されることになり、使用権情報判別手段４０５を特に保有する必要がなく、データ受信装置としてはＳＴＢやＡＶサーバーといった汎用的な機器で実現可能となる。
【００４７】
また、図２の通信データのデータ形態において、使用権情報は第２の通信データ（ｂ）内に含まれるように構成したが、第１の通信データ（ａ）内に含まれるように構成しても構わない。この場合、使用権情報は対応するデコーダプログラム名を含有し、エンコードデータ２０２と一緒にエンコードデータ格納メモリ４０３に格納することになり、使用権情報判別手段４０５はエンコードデータに付随する使用権情報から復号化を許可されているデコーダプログラム名を取得する。以下、同様に、特定されたデコーダプログラム２１２とエンコードデータ２０２をメモリ４０４および４０３から入力し、デコード実行手段４０６へ供給することで実現できる。
【産業上の利用可能性】
【００４８】
本発明にかかるデータ送信装置およびデータ受信装置は、映像データや音声データに限定されるものではなく、各種データを符号化したエンコードデータを他機器であるデータ受信装置にて復号化し、利用するシステムに適用できる。特に、データ受信装置がデコーダプログラムを保有していない場合や、復号化時に互換性が保証できない場合等において適している。
【図面の簡単な説明】
【００４９】
【図１】本発明の実施の形態によるデータ送信装置の構成を示すブロック図
【図２】同データ送信装置から送信する通信データの第１のデータ形態を示す概念図
【図３】同データ送信装置から送信する通信データの第２のデータ形態を示す概念図
【図４】本発明の実施の形態によるデータ受信装置の構成を示すブロック図
【符号の説明】
【００５０】
１    エンコードデータ格納メモリ
２，４    ＩＤ情報付加手段
３    デコーダプログラム格納メモリ
５    管理手段
６    使用権情報付加手段
７    送信手段
２０１，３０１    エンコードデータのＩＤ情報
２０２，３０２    エンコードデータ
２１１，３１１    デコーダプログラムのＩＤ情報
２１２，３１２    デコーダプログラム
２１３，３１３    使用権情報
４０１    受信手段
４０２    通信データ解析手段
４０３    エンコードデータ格納メモリ
４０４    デコーダプログラム格納メモリ
４０５    使用権情報判別手段
４０６    デコード実行手段
４０７    表示手段
【図１】
2006227979.tif 000003
【図２】
2006227979.tif 000004
【図３】
2006227979.tif 000005
【図４】
2006227979.tif 000006